(57)【特許請求の範囲】
【請求項１】
雄型形状を有する雄側連結装置と嵌合可能な雌型形状を有する雌側連結装置であって、
前記雄側連結装置と嵌合可能な空間を有するベース部と、
前記ベース部における前記空間に収容されるカバー部と、
前記カバー部を前記ベース部から外方向へ付勢する第１の付勢手段と、
前記カバー部を前記ベース部に対して係止する係止位置にあることにより、前記外方向とは反対の方向への前記カバー部の移動を阻止するロック部と、
前記ロック部を、前記係止位置へ向かう係止方向へ付勢する第２の付勢手段と、
を備え、
前記ロック部は、前記雄側連結装置に設置された磁石による吸引移動または反発移動によって前記係止位置から退避し、
前記ベース部には、前記カバー部が前記外方向とは反対の方向へ移動した際に前記カバー部の少なくとも一部が挿入される挿入孔部または挿入凹部が形成され、
前記ベース部の前記空間は、前記ベース部に形成された凹部であり、
前記挿入孔部または前記挿入凹部は、前記ベース部の前記凹部の底面に形成されている、雌側連結装置。
【請求項２】
請求項１記載の雌側連結装置において、
前記ロック部は、前記磁石により吸引移動する金属片と、該金属片が吸引移動することで、前記カバー部を前記ベース部に対して係止する前記係止位置から退避する係止部と、を含む、雌側連結装置。
【請求項３】
請求項１記載の雌側連結装置において、
前記ロック部は、前記磁石により反発移動する雌側磁石と、該雌側磁石が反発移動することで、前記カバー部を前記ベース部に対して係止する前記係止位置から退避する係止部と、を含む、雌側連結装置。
【請求項４】
請求項１記載の雌側連結装置において、
前記ベース部には、前記挿入孔部が形成され、
前記ベース部の前記挿入孔部には、前記カバー部が前記外方向とは反対の方向へ移動した際に前記カバー部の少なくとも一部および前記ロック部の少なくとも一部が挿入される、雌側連結装置。
【請求項５】
請求項１から請求項４のいずれか１項記載の雌側連結装置を備える第１の筐体と、
前記雌側連結装置の前記雌型形状と嵌合可能な前記雄型形状を有し前記磁石が設置された前記雄側連結装置を備える第２の筐体と、
を含む電子機器。
【発明の詳細な説明】
【技術分野】
【０００１】
本明細書に記述された実施態様は、雌型形状を有する雌側連結装置、および、この雌側連結装置を備える電子機器に関する。
【背景技術】
【０００２】
従来、携帯電話機として、テンキー等の操作部を有する第１の筐体と表示部を有する第２の筐体とを備えるものがある。また、上記の第１の筐体と第２の筐体とが互いに分離する携帯電話機が知られている。
【０００３】
携帯電話機の互いに分離した第１の筐体と第２の筐体とを連結する手法としては、一方の筐体に設けられた凹側の雌側連結装置と、他方の筐体に設けられた凸側の雄側連結装置とを嵌合させる手法が知られている。
【先行技術文献】
【特許文献】
【０００４】
【特許文献１】実開平５−４６５９７号公報
【特許文献２】特開２００７−２８６２０１号公報
【特許文献３】特開２００７−１６３８５５号公報
【特許文献４】特開平８−２２７０９６号公報
【特許文献５】国際公開第２００６／１２９７６８号パンフレット
【特許文献６】特開２００５−１４７４０１号公報
【特許文献７】特開２００８−６６７６３号公報
【特許文献８】特開２００８−９２２６４号公報
【発明の概要】
【発明が解決しようとする課題】
【０００５】
雌側連結装置の凹部は、雄側連結装置と嵌合していない状態では閉じておくことが望ましいが、雌側連結装置と雄側連結装置とが嵌合される際には凹部を開く必要がある。この凹部を開閉する機構が複雑になると、ひいては携帯電話機等の電子機器の構造が複雑化する。
【０００６】
本発明の目的は、雌側連結装置の凹部を簡単な構成で開閉させることができる雌側連結装置および電子機器を提供することである。
【課題を解決するための手段】
【０００７】
本明細書で開示する雌側連結装置は、雄型形状を有する雄側連結装置と嵌合可能な雌型形状を有する雌側連結装置であって、ベース部と、カバー部と、第１の付勢手段と、ロック部と、第２の付勢手段と、を備える。上記ベース部は、上記雄側連結装置と嵌合可能な空間を有する。上記カバー部は、上記ベース部における上記空間に収容される。上記第１の付勢手段は、上記カバー部を上記ベース部から外方向へ付勢する。上記ロック部は、上記カバー部を上記ベース部に対して係止する係止位置にあることにより、上記外方向とは反対の方向への上記カバー部の移動を阻止する。上記第２の付勢手段は、上記ロック部を、上記係止位置へ向かう係止方向へ付勢する。そして、上記ロック部は、上記雄側連結装置に設置された磁石による吸引移動または反発移動によって上記係止位置から退避する。
【０００８】
本明細書で開示する電子機器は、上記雌側連結装置を備える第１の筐体と、上記雌側連結装置の上記雌型形状と嵌合可能な上記雄型形状を有し上記磁石が設置された上記雄側連結装置を備える第２の筐体と、を含む。
【発明の効果】
【０００９】
本明細書で開示する雌側連結装置および電子機器によれば、雌側連結装置の凹部を簡単な構成で開閉させることができる。
【図面の簡単な説明】
【００１０】
【図１Ａ】携帯電話機を示す斜視図（その１）である。
【図１Ｂ】携帯電話機を示す斜視図（その２）である。
【図１Ｃ】携帯電話機を示す斜視図（その３）である。
【図２】第１実施形態における第１の筐体を示す左側面図および平面図である。
【図３】第１実施形態における第２の筐体を示す底面図、左側面図および平面図である。
【図４】第１実施形態における、第１の筐体と第２の筐体とが分離した状態の雌側連結装置および雄側連結装置を示す概略断面図である。
【図５】第１実施形態における、第１の筐体と第２の筐体とが分離した状態の雌側連結装置を示す要部断面図である。
【図６】図５のＡ−Ａ断面図である。
【図７】第１実施形態における、第１の筐体と第２の筐体とが連結される過程の雌側連結装置および雄側連結装置を示す概略断面図である。
【図８】第１実施形態における、第１の筐体と第２の筐体とが連結される過程の雌側連結装置を示す要部断面図である。
【図９】図８のＢ−Ｂ断面図である。
【図１０】第１実施形態における、第１の筐体と第２の筐体とが連結された状態の雌側連結装置および雄側連結装置を示す概略断面図である。
【図１１】第１実施形態における、第１の筐体と第２の筐体とが連結された状態の雌側連結装置を示す要部断面図である。
【図１２】第１実施形態における、雄側連結装置の概略構成を示す平面図および断面図、並びに、雌側連結装置の概略構成を示す断面図および平面図である。
【図１３】第１実施形態における、第１の筐体および第２の筐体を示す概略分解断面図である。
【図１４】第１実施形態における、雌側連結装置および雄側連結装置を示す概略分解斜視図である。
【図１５】第１実施形態における、雌側連結装置および雄側連結装置を示す概略分解斜視図および説明図である。
【図１６】第１実施形態の第１変形例における、雄側連結装置の概略構成を示す平面図および断面図、並びに、雌側連結装置の概略構成を示す断面図および平面図である。
【図１７】第１実施形態の第２変形例における雄側連結装置の概略構成を示す平面図および右側面図である。
【図１８Ａ】第１実施形態の第３変形例における携帯電話機を示す斜視図（その１）である。
【図１８Ｂ】第１実施形態の第３変形例における携帯電話機を示す斜視図（その２）である。
【図１８Ｃ】第１実施形態の第３変形例における携帯電話機を示す斜視図（その３）である。
【図１９】第２実施形態における、第１の筐体と第２の筐体とが分離した状態の雌側連結装置を示す要部断面図である。
【図２０】図１９のＣ−Ｃ断面図である。
【図２１】第２実施形態における、第１の筐体と第２の筐体とが連結される過程の雌側連結装置を示す要部断面図である。
【図２２】図２１のＤ−Ｄ断面図である。
【図２３Ａ】第３実施形態における携帯電話機を示す斜視図（その１）である。
【図２３Ｂ】第３実施形態における携帯電話機を示す斜視図（その２）である。
【図２４】第３実施形態における雌側連結装置の概略構成を示す平面図、正面側断面図、右側面図および右側面側断面図である。
【図２５】第３実施形態における雄側連結装置の概略構成を示す平面図、正面図および右側面図である。
【図２６】第３実施形態における、嵌合した状態の雌側連結装置および雄側連結装置の概略構成を示す断面図である。
【図２７】第３実施形態の変形例における雌側連結装置の概略構成を示す平面図、正面側断面図および右側面図である。
【図２８】第３実施形態の変形例における雄側連結装置の概略構成を示す平面図、正面図および右側面図である。
【図２９】第３実施形態の変形例における、嵌合した状態の雌側連結装置および雄側連結装置の概略構成を示す断面図である。
【図３０】第４実施形態における、第１の筐体と第２の筐体とが分離した状態の雌側連結装置を示す要部断面図である。
【図３１】図３０のＥ−Ｅ断面図である。
【図３２】第４実施形態における、第１の筐体と第２の筐体とが連結される過程の雌側連結装置を示す要部断面図である。
【図３３】図３２のＦ−Ｆ断面図である。
【図３４】第４実施形態における、第１の筐体と第２の筐体とが連結された状態の雌側連結装置を示す概略断面図である。
【図３５】第４実施形態におけるロック部を示す分解斜視図である。
【図３６】第４実施形態におけるロック部を示す斜視図である。
【発明を実施するための形態】
【００１１】
以下、実施の形態に係る、雌側連結装置および電子機器について、図面を参照しながら説明する。
＜第１実施形態＞
図１Ａ〜図１Ｃは、携帯電話機１を示す斜視図である。
図２は、第１の筐体１０を示す左側面図および平面図である。
図３は、第２の筐体２０を示す底面図、左側面図および平面図である。
【００１２】
図１Ａ〜図１Ｃに示す携帯電話機１は、図２に示す第１の筐体１０と、図３に示す第２の筐体２０とを備える。携帯電話機１は、後述する電子機器の一例である。
第１の筐体１０は、操作部１１，１２と、マイク部１３と、を備える。第２の筐体２０は、表示部２１と、スピーカ部２２と、マイク部２３と、を備える。
【００１３】
図２に示すように、第１の筐体１０の操作部１１，１２側である上面側には、雌側連結装置１００が配置されている。
図３に示すように、第２の筐体２０の表示部２１とは反対側である底面側には、雄側連結装置２００が配置されている。
【００１４】
詳しくは後述するが、第１の筐体１０と第２の筐体２０とは、雌側形状を有する雌側連結装置１００と雄側形状を有する雄側連結装置２００とが互いに嵌合することで、着脱自在に連結されている。
【００１５】
第１の筐体１０と第２の筐体２０とは、連結された状態において、例えば、図１Ａに示すように各筐体の長手方向に延びるＩ字形状、図１Ｂに示すように各筐体の角度を直角にしたＬ字形状、図１Ｃに示すように各筐体を重ね合わされた形状などをとることができる。
【００１６】
第１の筐体１０と第２の筐体２０とが互いに分離可能であるため、分離した第１の筐体１０および第２の筐体２０がそれぞれ独立して通話可能となるように、第１の筐体１０も、スピーカ部を備えるようにしてもよい。
【００１７】
図４は、第１の筐体１０と第２の筐体２０とが分離した状態の雌側連結装置１００および雄側連結装置２００を示す概略断面図である。
図５は、第１の筐体１０と第２の筐体２０とが分離した状態の雌側連結装置１００を示す要部断面図である。
図６は、図５のＡ−Ａ断面図である。
【００１８】
図５および図６に示す雌側連結装置１００は、図１２〜図１５にも示すように、ベース部１１０と、カバー部１２０と、カバー保持バネ１３０と、４つのロック部１４０と、４つのロック部係止用ねじりバネ１５０と、２つの押さえ部１６０と、を備える。図１２に示すように、雌側連結装置１００は、雄側連結装置２００側からの平面視において円形状を呈する。
【００１９】
カバー保持バネ１３０は、第１の付勢手段の一例である。４つのロック部係止用ねじりバネ１５０は、第２の付勢手段の一例である。なお、ベース部１１０、カバー部１２０、カバー保持バネ１３０、ロック部１４０、ロック部係止用ねじりバネ１５０および押さえ部１６０の数は、雌側連結装置１００の形状その他の構成に応じて適宜変更可能である。
【００２０】
図５、図１４および図１５に示すように、ベース部１１０は、平面側に開口する円形の凹部１１０ａが中央に形成された平面視円形状を呈する。この凹部１１０ａは、雄側連結装置２００と嵌合可能な空間の一例として機能する。凹部１１０ａの底面には、４つの挿入孔部１１０ｂが形成されている。
【００２１】
４つの挿入孔部１１０ｂには、後述する４つのロック部１４０の一部、カバー部１２０の４つの突起１２０ａなどが挿入される。４つの挿入孔部１１０ｂは、ロック部１４０および突起１２０ａと同様に、雌側連結装置１００の周方向に９０°ずつ、等間隔に形成されている。
【００２２】
図５および図６に示すように、挿入孔部１１０ｂは、矩形の幅広部１１０ｂ−１と、矩形の幅狭部１１０ｂ−２とを含む。図６に示すように、幅広部１１０ｂ−１は、幅狭部１１０ｂ−２よりもベース部１１０の径方向に直交する方向（図６では上下方向）の幅が大きい。幅広部１１０ｂ−１は、幅狭部１１０ｂ−２に連続して形成され、幅狭部１１０ｂ−２よりもベース部１１０の径方向の内側に位置する。なお、ベース部１１０は、第１の筐体１０と一体に形成されるようにしてもよい。
【００２３】
カバー部１２０は、凹部１１０ａに収容される。図１４および図１５に示すように、カバー部１２０は、円板状を呈し、底面側の周縁４箇所に、底面側へ突出する突起１２０ａが設けられている。この４つの突起１２０ａは、カバー部１２０の周方向に９０°ずつ、等間隔に設けられている。
【００２４】
４つの突起１２０ａの先端には、カバー部１２０の径方向外側に突出するカバー保持爪１２０ｂが設けられている。このカバー保持爪１２０ｂによって、カバー部１２０は、ベース部１１０から上方（外方向）へ抜け落ちるのが防止されている。
【００２５】
図５および図６に示すように、カバー部１２０の４つの突起１２０ａの径方向内側先端には、内側凸部１２０ｃが中央に設けられている。この内側凸部１２０ｃは、底面側である下方のベース部１１０との間に挿入されるロック爪１４２をガイドする。なお、突起１２０ａのうち内側凸部１２０ｃが形成される径方向内側下端は、カバー保持爪１２０ｂが形成される径方向外側下端よりも高い位置に位置する。
【００２６】
カバー部１２０の４つの突起１２０ａの根元部分の径方向内側には、ロック部支持軸１２０ｅを軸支する左右一対の張出部１２０ｄ，１２０ｄが設けられている。
ロック部支持軸１２０ｅは、後述する金属片１４１のカバー側張出部１４１ｄ，１４１ｄにおいて、ロック部１４０を揺動自在に軸支する。ロック部支持軸１２０ｅには、ロック部係止用ねじりバネ１５０が巻き付けられている。
【００２７】
カバー部１２０の４つの突起１２０ａのうち互いに対向する２つの突起１２０ａの径方向外側上端には、後述する押さえ部１６０の爪部１６１が挿入される押さえ部用凹部１２０ｆが形成されている。
【００２８】
カバー部１２０の下方（外方向とは反対側）には、カバー保持バネ１３０、ロック部１４０およびロック部係止用ねじりバネ１５０が配置されている。
カバー保持バネ１３０は、下方にいくほど径の小さくなる円錐バネであり、ベース部１１０の凹部１１０ａの中央においてカバー部１２０の下方に配置されている。カバー保持バネ１３０は、カバー部１２０を、ベース部１１０から外方向である上方へ付勢する。カバー保持バネ１３０を一例とする第１の付勢手段としては、カバー部１２０をベース部１１０から外方向へ付勢するものであれば、カバー保持バネ１３０以外の弾性体を用いてもよい。
【００２９】
４つのロック部１４０のそれぞれは、金属片１４１と、係止部の一例であるロック爪１４２と、ロック爪用ねじりバネ１４３と、を含む。４つのロック部１４０は、カバー部１２０の４つの突起１２０ａのそれぞれの径方向内側に１つずつ配置されている。
【００３０】
金属片１４１は、雄側連結装置２００の後述する磁石２２０により吸引される被吸引部１４１−１と、この被吸引部１４１−１のうちカバー部１２０の径方向外側の端部から下方へ直角に屈曲した屈曲部１４１−２と、を含み、Ｌ字板状を呈する。
【００３１】
金属片１４１の屈曲部１４１−２には、厚み方向に傾斜して貫通する貫通孔１４１ａと、被吸引部１４１−１とは反対側の端部に位置する切り欠き部１４１ｂと、が形成されている。
【００３２】
金属片１４１の屈曲部１４１−２には、被吸引部１４１−１とは反対側の端部の外側の面に、左右一対のロック爪側張出部１４１ｃ，１４１ｃが設けられている。また、屈曲部１４１−２には、被吸引部１４１−１側の端部の外側の面に、左右一対のカバー側張出部１４１ｄ，１４１ｄが設けられている。
【００３３】
屈曲部１４１−２の貫通孔１４１ａには、上記のロック部係止用ねじりバネ１５０の一端側が挿入されている。このロック部係止用ねじりバネ１５０の他端は、カバー部１２０の底面に当接している。ロック部係止用ねじりバネ１５０は、係止位置へ向かう係止方向へロック部１４０を付勢する。ロック部１４０がカバー部１２０をベース部１１０に対して係止する係止位置は、ロック爪１４２がカバー部１２０の内側凸部１２０ｃの下方に挿入される位置である。
【００３４】
ロック爪側張出部１４１ｃ，１４１ｃは、ロック爪支持軸１４１ｅを軸支する。このロック爪支持軸１４１ｅは、ロック爪１４２の左右一対の張出部１４２ｂ，１４２ｂにおいて、ロック爪１４２を揺動自在に軸支する。ロック爪支持軸１４１ｅには、ロック爪用ねじりバネ１４３が巻き付けられている。
【００３５】
金属片１４１の屈曲部１４１−２（ロック爪支持軸１４１ｅ）およびロック爪用ねじりバネ１４３は、ロック爪１４２を、金属片１４１の吸引移動によって、カバー部１２０の内側凸部１２０ｃの下方の位置である係止位置から退避する解除方向へ移動させる吸引解除手段の一部として機能する。
【００３６】
図６に示すように、ロック爪１４２は、ベース部１１０の挿入孔部１１０ｂの幅広部１１０ｂ−１よりも上記の幅（ベース部１１０の径方向に直交する図６では上下方向の幅）が狭いが、幅狭部１１０ｂ−２よりは幅が広い。そのため、ロック爪１４２は、カバー部１２０の内側凸部１２０ｃの下方では、幅狭部１１０ｂ−２により下方への移動が妨げられるが、内側凸部１２０ｃの下方から抜け出すと、幅広部１１０ｂ−１に挿入される。
【００３７】
ロック爪用ねじりバネ１４３の一端側は、屈曲部１４１−２の上記の切り欠き部１４１ｂに挿入されている。ロック爪用ねじりバネ１４３の他端側は、ロック爪１４２の厚み方向に貫通する貫通孔１４２ａに挿入されている。
【００３８】
ロック爪用ねじりバネ１４３は、ロック爪１４２がカバー部１２０の内側凸部１２０ｃの下方に挿入されるようにロック爪１４２を係止方向へ付勢する。
図１５に示すように、２つの押さえ部１６０は、爪部１６１と、左右一対のバネ１６２，１６２と、を含む。押さえ部１６０は、ベース部１１０の２つの押さえ部用凹部１１０ｃのそれぞれに１つずつ計２つ配置されている。２つの押さえ部用凹部１１０ｃは、ベース部１１０の凹部１１０ａを形成する側壁に互いに対向して形成されている。
【００３９】
２つの押さえ部１６０は、爪部１６１によって、カバー部１２０の２つの押さえ部用凹部１２０ｆにおいて、カバー部１２０の外方向への移動を阻止する。バネ１６２，１６２は、爪部１６１を、上記のカバー部１２０の外方向への移動を阻止する位置に向けて付勢する。
なお、押さえ部１６０は、雌側連結装置１００と雄側連結装置２００とを嵌合させる際には、爪部１６１によって、雄側連結装置２００の凸部２１０と係合する。
【００４０】
図１１、図１４および図１５に示すように、雄側連結装置２００の凸部２１０は、雌側連結装置１００のカバー部１２０に当接する大径部２１０−１と、この大径部２１０−１よりも基端側に位置する小径部２１０−２とが一体に形成されている。爪部１６１は、大径部２１０−１を小径部２１０−２の周囲から押さえることで、凸部２１０と係合する。なお、大径部２１０−１は、カバー部１２０との当接面側の一部が当接面にいくほど縮径するテーパ状になっている。
【００４１】
以下、雌側連結装置１００と雄側連結装置２００とが嵌合する際の動作について説明する。
図７は、第１の筐体１０と第２の筐体２０とが連結される過程の雌側連結装置１００および雄側連結装置２００を示す概略断面図である。
【００４２】
図８は、第１の筐体１０と第２の筐体２０とが連結される過程の雌側連結装置１００を示す要部断面図である。
図９は、図８のＢ−Ｂ断面図である。
【００４３】
図７に示すように雌側連結装置１００と雄側連結装置２００とが接近あるいは接触すると、図８に示すように、雄側連結装置２００の磁石２２０によって、金属片１４１の被吸引部１４１−１が吸引される。これにより、金属片１４１がロック部支持軸１２０ｅを中心に回転し、ロック部１４０は、カバー部１２０が下方に移動する（沈み込む）のを阻止する上記の係止位置から退避する。
【００４４】
具体的には、金属片１４１がロック部係止用ねじりバネ１５０の付勢力を上回る力で吸引されると、ロック爪１４２が、カバー部１２０の移動を阻止する位置である内側凸部１２０ｃの下方の係止位置から退避する。この退避動作によって、ロック爪１４２は、図９に二点鎖線で示す位置（１４２´）から、ベース部１１０の挿入孔部１１０ｂの幅広部１１０ｂ−１の上方の位置に移動する。
【００４５】
これにより、カバー部１２０が下方に移動することが可能となり、雌側連結装置１００が雄側連結装置２００により押圧されることで、カバー部１２０が下方に移動する。このカバー部１２０の沈み込みに伴い、ベース部１１０の凹部１１０ａが開放していく。
【００４６】
図１０は、第１の筐体１０と第２の筐体２０とが連結された状態の雌側連結装置１００および雄側連結装置２００を示す概略断面図である。
図１１は、第１の筐体１０と第２の筐体２０とが連結された状態の雌側連結装置１００を示す要部断面図である。
【００４７】
図１０に示すように第１の筐体１０と第２の筐体２０とが連結された状態では、雌側連結装置１００と雄側連結装置２００とは嵌合している。
図１１に示すように、カバー部１２０が上述のように下方へ移動して最下端の位置にあるとき、押さえ部１６０の爪部１６１は、雄側連結装置２００の凸部２１０の小径部２１０−２において大径部２１０−１を押さえる。これにより、凸部２１０ひいては雄側連結装置２００の上方移動、即ち外方向への抜け落ちが防止されている。
【００４８】
図１２は、雄側連結装置２００の概略構成を示す平面図および断面図、並びに、雌側連結装置１００の概略構成を示す断面図および平面図である。
図１３は、第１の筐体１０および第２の筐体２０を示す概略分解断面図である。
【００４９】
図１４は、雌側連結装置１００および雄側連結装置２００を示す概略分解斜視図である。
図１５は、雌側連結装置１００および雄側連結装置２００を示す概略分解斜視図および説明図である。
【００５０】
図１３に示すように、第１の筐体１０には、フロントケース１４とリアケース１５との間に雌側連結装置１００が配置されている。この雌側連結装置１００は、複数のネジ１６によってフロントケース１４のネジ孔１４ａに固定されている。
【００５１】
第２の筐体２０では、フロントケース２４に対し上記の表示部２１が固定されている。この表示部２１は、底面側で基板２６に固定されている。表示部２１の上面側には、表示部用パネル２７が配置されている。
【００５２】
雄側連結装置２００は、凸部２１０において複数のネジ２８によって表示部２４のリアケース２５のネジ孔２５ａに固定されている。図１４および図１５に示すように、凸部２１０には、ネジ２８が挿入される複数のネジ孔２１０ｄが形成されている。
【００５３】
凸部２１０の小径部２１０−２には、周縁において４つの押さえ部用凹部２１０ａが凸部２１０の周方向に９０°ずつ、等間隔に形成されている。４つの押さえ部用凹部２１０ａには、２つの押さえ部１６０のうち一方の押さえ部１６０の爪部１６１に形成された図１２に示すクリック用突起１６１ａが挿入される。このようにクリック用突起１６１ａが４つの押さえ部用凹部２１０ａのいずれかに挿入されることで、雌側連結装置１００と雄側連結装置２００とは、４箇所において嵌合した状態で互いに位置決めされる。
【００５４】
図１４および図１５に示すように、凸部２１０の小径部２１０−２には、径方向に突出する押さえ部用凸部２１０ｂが周縁の一箇所に形成されている。この押さえ部用凸部２１０ｂは、２つの爪部１６１の一方を押し出すことによって、この爪部１６１を、大径部２１０−１を押さえる位置から退避させる。
【００５５】
なお、一方の爪部１６１が押し出されることによって、他方の爪部１６１を大径部２１０−１を押さえる位置から退避させるのが容易になるため、人が手で雄側連結装置２００を雌側連結装置１００から抜き出すことができる。
【００５６】
図１２および図１３に示すように、撮像装置であるカメラ２３０は、第２の筐体２０の雄側連結装置２００の内部において基板２６の底面側に配置されている。
雄側連結装置２００の磁石２２０は、凸部２１０の小径部２１０−２内に設けられる図１４および図１５に示すカメラ用凹部２１０ｃにカメラ２３０の一部とともに４つ収容されている。磁石２２０は、カメラ２３０の周囲の４箇所に、ロック板１４１と対向するように配置されている。なお、磁石２２０を金属板等によりシールドすることで、携帯電話機１への磁力による影響を抑えることができる。
【００５７】
以上説明した本実施形態では、雌側連結装置１００は、ベース部１１０と、カバー部１２０と、カバー保持バネ（第１の付勢手段）１３０と、ロック部１４０と、ロック部係止用ねじりバネ（第２の付勢手段）１５０と、を備える。カバー保持バネ１３０は、カバー部１２０をベース部１１０から外方向へ付勢する。ロック部１４０は、カバー部１２０をベース部１１０に対して係止する係止位置にあることにより、上記外方向とは反対の方向へのカバー部１２０の移動を阻止する。ロック部係止用ねじりバネ１５０は、ロック部１４０を、係止位置へ向かう係止方向へ付勢する。そして、ロック部１４０は、雄側連結装置２００に設置された磁石２２０による吸引移動によって係止位置から退避する。
【００５８】
そのため、雄側連結装置２００を雌側連結装置１００に近づけたときには、ロック部１４０が上記の係止位置から退避してベース部１１０の凹部１１０ａを開放することができる。また、雄側連結装置２００を雌側連結装置１００から遠ざけたときには、ロック部係止用ねじりバネ１５０がロック部１４０を係止方向へ付勢するとともに、カバー保持バネ１３０がカバー部１２０をベース部１１０から外方向へ付勢する。これにより、凹部１１０ａが閉じる。
【００５９】
よって、本実施形態によれば、雌側連結装置１００（ベース部１１０）の凹部１１０ａを簡単な構成で開閉させることができる。
また、本実施形態では、ロック部１４０は、磁石２２０により吸引移動する金属片１４１と、この金属片１４１が吸引移動することで、カバー部１２０をベース部１１０に対して係止する係止位置から退避するロック爪（係止部）１４２と、を含む。そのため、雌側連結装置１００を簡単な構成にすることができる。
【００６０】
また、本実施形態では、ロック爪（係止部）１４２は、金属片１４１に対して揺動自在に軸支されている。そのため、ロック爪１４２の係止位置における挿抜が容易になり、凹部１１０ａの開閉を円滑に行うことができる。また、雌側連結装置１００を簡単な構成にすることができる。
【００６１】
また、本実施形態では、ベース部１１０には、カバー部１２０が外方向とは反対の方向へ移動した際にカバー部１２０の突起１２０ａ（カバー部の少なくとも一部）が挿入される挿入孔部１１０ｂが形成されている。そのため、雌側連結装置１００を簡単な構成にすることができる。
【００６２】
また、本実施形態では、ベース部１１０の挿入孔部１１０ｂには、カバー部１２０が外方向とは反対の方向へ移動した際にカバー部１２０の突起１２０ａ（カバー部の少なくとも一部）およびロック部１４０のロック爪１４２などの一部（少なくとも一部）が挿入される。そのため、雌側連結装置１００を簡単な構成にすることができる。
【００６３】
また、本実施形態では、カバー部１２０の下方（外方向とは反対側）には、カバー保持バネ１３０、ロック部１４０およびロック部係止用ねじりバネ１５０が配置されている。そのため、雌側連結装置１００を簡単な構成にすることができる。
【００６４】
また、本実施形態では、押さえ部１６０は、雌側連結装置１００と雄側連結装置２００とが分離した状態で外方向へのカバー部１２０の移動を阻止し、雌側連結装置１００と雄側連結装置２００とが嵌合した状態で雄側連結装置２００に係合する。そのため、雌側連結装置１００を簡単な構成にすることができる。
【００６５】
また、本実施形態では、雄側連結装置２００の内部には、撮像装置であるカメラ２３０が配置されている。そのため、携帯電話機（電子機器）１の小型化を図ることができる。
なお、本実施形態では、電子機器として携帯電話機１を例に説明したが、電子機器としては、ＰＤＡ（Personal Digital Assistant）、コンピュータ、デジタルカメラなど、情報通信端末その他の電子機器を用いることもできる。
また、電子機器としては、第１の筐体および第２の筐体のうち一方が、電子機器本体の充電、立掛け等のためのスタンドで、他方が電子機器本体である電子機器も含まれる。
【００６６】
図１６は、第１変形例における、雄側連結装置４００の概略構成を示す平面図および断面図、並びに、雌側連結装置３００の概略構成を示す断面図および平面図である。
本変形例では、雌側連結装置３００は、ベース部３１０およびカバー部３２０が雄側連結装置４００側からの平面視において円形状ではなく矩形状である点、および、これに関連する構成において、図１２等に示す雌側連結装置１００と相違する。
【００６７】
雄側連結装置４００は、雄側連結装置２００の大径部２１０−１に対応する凸部４１０の先端部４１０−１が、雌側連結装置３００側からの平面視において円形状ではなく矩形状である点これに関連する構成において、図１２等に示す雄側連結装置２００と相違する。先端部４１０−１は、図１２等に示す小径部２１０−２に対応する基端部４１０−２よりも各辺が長い断面矩形状を呈する。
【００６８】
図１７は、第２変形例における雄側連結装置５００の概略構成を示す平面図および右側面図である。
図１７に示す第２変形例の雄側連結装置５００は、第１変形例の雄側連結装置４００と同様に、雄側連結装置２００の大径部２１０−１，小径部２１０−２に対応する先端部５１０−１，基端部５１０−２が平面視において円形状ではなく矩形状である。
【００６９】
本変形例においても、雄側連結装置５００には、４つの磁石５２０や二点鎖線で示すカメラ（撮像装置）５３０が配置されている。なお、雄側連結装置５００は、図１４および図１５に示す第２の筐体２０の補強板２５−２に固定されている。この補強板２５−２は、ケース側ネジ孔２５ｂにおいて、図示しないリアケースに固定されている。なお、図１７において、カメラ用パネル２４０等の図示は省略している。
【００７０】
図１８Ａ〜図１８Ｃは、第３変形例における携帯電話機２を示す斜視図である。
図１８Ａ〜図１８Ｃに示す携帯電話機２は、図１Ａ〜図１Ｃに示す携帯電話機１と比較して第１の筐体３０の構成が相違する。携帯電話機２の第２の筐体２０は、携帯電話機１の第２の筐体２０と同様のものである。
【００７１】
図１８Ａ〜図１８Ｃに示すように、第１の筐体３０は、操作部３１，３２と、マイク部３３と、スピーカ部３４と、表示部３５と、を備える。第２の筐体２０は、表示部２１と、スピーカ部２２と、マイク部２３と、を備える。
【００７２】
本変形例では、２つの雌側連結装置１００が第１の筐体３０および第２の筐体２０の１つの面に対して２つ一対に配置されている。同様に、雌側連結装置１００と嵌合する雄側連結装置２００も、第１の筐体３０および第２の筐体２０筐体の１つの面に対して２つ一対に配置されている。
【００７３】
第１の筐体３０と第２の筐体２０との連結は、例えば、図１８Ａに示すように各筐体の長手方向に延びるように長手方向に連結したり、図１８Ｂに示すように側面どうしで連結したり、図１８Ｃに示すように側面と上面とでＴ字状になるように重ね合わせて連結したりすることができる。
【００７４】
＜第２実施形態＞
図１９は、第１の筐体１０と第２の筐体２０とが分離した状態の雌側連結装置６００を示す要部断面図である。
【００７５】
図２０は、図１９のＣ−Ｃ断面図である。
図１９および図２０に示す雌側連結装置６００は、ロック部６４０およびこれに関連する構成において、第１実施形態の雌側連結装置１００と主に相違し、その他の点は同様である。そのため、同様の構成については同一の符号を付して説明を適宜省略する。
【００７６】
４つのロック部６４０のそれぞれは、金属片６４１と、係止部（スライダ）の一例であるロック用スライダ６４２と、２つのスライダ用ガイド部６４３と、を含む。４つのロック部６４０は、カバー部１２０の４つの突起１２０ａのそれぞれの内側に１つずつ配置されている。
【００７７】
なお、本実施形態のカバー部１２０は、図５および図６に示す内側凸部１２０ｃが形成されていない点を除いて第１実施形態のカバー部１２０と同様である。本実施形態のカバー部１２０も、突起１２０ａと、カバー保持爪１２０ｂと、張出部１２０ｄと、ロック部支持軸１２０ｅと、押さえ部用凹部１２０ｆと、を有する。
【００７８】
金属片６４１は、図１２〜図１５に示す雄側連結装置２００の磁石２２０により吸引される被吸引部６４１−１と、この被吸引部６４１−１のうちカバー部１２０の径方向外側の端部から下方へ直角に屈曲した屈曲部６４１−２と、を含み、Ｌ字板状を呈する。
【００７９】
金属片６４１の屈曲部６４１−２には、被吸引部６４１−１とは反対側の端部中央に開口する切り欠き部６４１ａが形成されている。これにより、屈曲部６４１−２は、Ｕ字状を呈する。
【００８０】
金属片６４１の屈曲部６４１−２には、被吸引部６４１−１側の端部の外側の面に、左右一対のカバー側張出部６４１ｂ，６４１ｂが設けられている。
屈曲部６４１−２の切り欠き部６４１ａには、ロック部支持軸１２０ｅを軸支する左右一対の張出部１２０ｄ，１２０ｄが位置する。ロック部支持軸１２０ｅは、カバー側張出部６４１ｂ，６４１ｂにおいて、ロック部６４０を支持する。ロック部支持軸１２０ｅには、ロック部係止用ねじりバネ１５０が巻き付けられている。
【００８１】
屈曲部６４１−２のうち切り欠き部６４１ａを挟んだ両側には、切り欠き部６４１ａとは反対側の幅方向に突出する凸部６４１ｃ，６４１ｃが設けられている。また、屈曲部６４１−２のうち切り欠き部６４１ａを挟んだ両側のうち一方には、ロック部係止用ねじりバネ１５０の一端側が挿入され、図示はしないが抜けないように保持されている。
【００８２】
ロック部係止用ねじりバネ１５０の他端は、カバー部１２０の内側上面に接している。ロック部係止用ねじりバネ１５０は、ロック部６４０を係止位置へ向かう係止方向へ付勢する。なお、ここでの係止位置は、後述するロック用スライダ６４２がカバー部１２０とベース部１１０との間に挿入される位置である。
【００８３】
金属片６４１の屈曲部６４１−２およびスライダ用ガイド部６４３は、ロック用スライダ６４２を、金属片６４１の吸引移動によって、カバー部１２０の下方の位置である係止位置から退避する解除方向へ移動させる吸引解除手段の一部として機能する。
【００８４】
図２０に示すように、ロック用スライダ６４２は、平面視矩形の切り欠き６４２ａが、対向するカバー部１２０の突起１２０ａ側に形成された平板状を呈する。切り欠き６４２ａの互いに対向する２辺には、屈曲部６４１−２の左右一対の凸部６４１ｃと係合する凹部６４２ｂ，６４２ｂが形成されている。
【００８５】
ロック用スライダ６４２は、上記の凸部６４１ｃおよび凹部６４２ｂ，６４２ｂによって金属片６４１に係合し、金属片６４１が磁石２２０により吸引移動することでスライドする。
【００８６】
ロック用スライダ６４２は、ベース部１１０の挿入孔部１１０ｂの幅広部１１０ｂ−１よりもベース部１１０の径方向に直交する方向（図２０では上下方向）の幅が狭いが、幅狭部１１０ｂ−２よりは幅が広い。
【００８７】
そのため、ロック用スライダ６４２は、カバー部１２０の突起１２０ａの下方で且つ幅狭部１１０ｂ−２の上方では、カバー部１２０が幅狭部１１０ｂ−２に挿入されるのを妨げる。一方、ロック用スライダ６４２は、突起１２０ａの下方から抜け出すと、カバー部１２０が幅狭部１１０ｂ−２に挿入されるのを許容する。
【００８８】
２つのスライダ用ガイド部６４３は、ベース部１１０の凹部１１０ａの上面に左右一対で設けられている。これら左右一対のスライダ用ガイド部６４３は、ロック用スライダ６４２をガイドすることでロック用スライダ６４２の浮き上がりを防止する。
【００８９】
以下、雌側連結装置６００と雄側連結装置２００とが嵌合する際の動作について説明する。
図２１は、第１の筐体１０と第２の筐体２０とが連結される過程の雌側連結装置６００を示す要部断面図である。
【００９０】
図２２は、図２１のＤ−Ｄ断面図である。
雌側連結装置６００と図１２〜図１５に示す雄側連結装置２００とが接近あるいは接触すると、図２１に示すように、雄側連結装置２００の磁石２２０によって、金属片６４１の被吸引部６４１−１が吸引される。これにより、金属片６４１がロック部支持軸１２０ｅを中心に回転し、ロック部６４０は、カバー部１２０が下方に移動する（沈み込む）のを阻止する係止位置から退避する。
【００９１】
具体的には、金属片６４１がロック部係止用ねじりバネ１５０の付勢力を上回る力で吸引されると、ロック用スライダ６４２は、凹部６４２ｂ，６４２ｂにおいて金属片６４１の凸部６４１ｃ，６４１ｃにより押圧される。これにより、ロック用スライダ６４２は、カバー部１２０の移動を阻止する位置である突起１２０ａの下方の係止位置から退避する。この退避動作によって、ロック用スライダ６４２は、幅狭部１１０ｂ−２の上方の位置から退避する。
【００９２】
これにより、カバー部１２０が下方に移動することが可能となり、雌側連結装置６００が雄側連結装置２００により押圧されることで、カバー部１２０が下方に移動する。このカバー部１２０の移動に伴い、ベース部１１０の凹部１１０ａが開放していく。
【００９３】
この後、上述の第１実施形態と同様に、カバー部１２０が下方へ移動して最下端の位置にあるとき、押さえ部１６０の爪部１６１は、本実施形態では図示しないが、図１２〜図１５に示す雄側連結装置２００の例えば大径部２１０−１を押さえる。これにより、凸部２１０ひいては雄側連結装置２００の上方移動、即ち抜け落ちが防止されている。
【００９４】
以上説明した第２実施形態においても、上述の第１実施形態と同様の点については同様の効果、即ち、雌側連結装置６００（ベース部１１０）の凹部１１０ａを簡単な構成で開閉させることができるという効果などが得られる。
【００９５】
また、本実施形態では、ロック部６４０は、磁石２２０により吸引移動する金属片６４１と、この金属片６４１が吸引移動することで係止位置から退避する係止部と、を含む。また、この係止部は、金属片６４１に係合し金属片６４１が吸引移動することでスライドするロック用スライダ（スライダ）６４２である。そのため、ロック用スライダ６４２の係止位置における挿抜が容易になり、凹部１１０ａの開閉を円滑に行うことができる。また、雌側連結装置６００を簡単な構成にすることができる。
【００９６】
＜第３実施形態＞
図２３Ａおよび図２３Ｂは、携帯電話機２を示す斜視図である。
図２４は、雌側連結装置７００の概略構成を示す平面図、正面側断面図、右側面図および右側面側断面図である。
【００９７】
図２５は、雄側連結装置８００の概略構成を示す平面図、正面図および右側面図である
図２３Ａおよび図２３Ｂに示す携帯電話機２は、図１８Ａ〜図１８Ｃに示す携帯電話機２と比較して、雌側連結装置７００および雄側連結装置８００の構成が相違し、その他の点は同様である。
【００９８】
図２３Ａに示すように、第１の筐体３０は、操作部３１，３２と、マイク部３３と、スピーカ部３４と、表示部３５と、を備える。第２の筐体２０は、表示部２１と、スピーカ部２２と、マイク部２３と、を備える。
【００９９】
本実施形態では、雌側連結装置７００および雄側連結装置８００は、いずれも平面視矩形状を呈する。
第１の筐体３０と第２の筐体２０との連結は、例えば、図２３Ａおよび図２３Ｂに示すように各筐体の長手方向に延びるように長手方向に連結したり、或いは、側面どうしで連結したりすることができる。
【０１００】
図２４に示す雌側連結装置７００は、ベース部７１０と、カバー部７２０と、カバー保持バネ７３０と、２つのロック部７４０と、２つのロック部係止用ねじりバネ７５０と、２つの押さえ部７６０と、を備える。なお、図２４の左上に示す平面図では、右側のロック部７４０の図示を省略している。
【０１０１】
カバー保持バネ７３０は、第１の付勢手段の一例である。２つのロック部係止用ねじりバネ７５０は、第２の付勢手段の一例である。
ベース部７１０は、平面側に開口する円形の凹部７１０ａが中央に形成された正面視矩形状を呈する。この凹部７１０ａは、雄側連結装置８００と嵌合可能な空間の一例として機能する。凹部７１０ａの底面中央には、挿入凹部７１０ｂが形成されている。この挿入凹部７１０ｂには、凹部７１０ａ開放時のカバー部７２０の一部（少なくとも一部）が挿入される。
【０１０２】
なお、凹部７１０ｂには、支持部材７１０ｄが配置されている。この支持部材７１０ｄは、例えば、円筒形状あるいはブロック形状を呈する。支持部材７１０ｄは、後述するロック部７４０のロック爪７４２が係止位置にあるときにはロック爪７４２を挟んでカバー部７２０の下方に位置する。一方、ロック爪７４２が係止位置から退避したときには、支持部材７１０ｄは、カバー部７２０の図示しない底面側の凹部に挿入されてカバー部７２０の下方への動きを妨げない。
【０１０３】
ベース部７１０の長手方向両端には、フランジ部７１０ｃ，７１０ｃが形成されている。ベース部７１０は、フランジ部７１０ｃ，７１０ｃにおいて、ネジ１６ｂにより第１の筐体に固定される。
【０１０４】
カバー部７２０は、ベース部７１０の凹部７１０ａに収容される。図２４に示すように、カバー部７２０は、底面に保持バネ収容凹部７２０ａが設けられた円柱形状を呈する。カバー部７２０の上半分には、小径部７２０ｂが形成されている。この小径部７２０ｂにおいて、押さえ部７６０の爪部７６１は、カバー部７２０の外方向（上方）への移動を阻止する。
【０１０５】
カバー保持バネ７３０は、ベース部７１０の凹部７１０ａ中央に配置されたバネである。カバー保持バネ７３０は、カバー部７２０の（外方向とは反対側）カバー７２０を、ベース部７１０から外方向である上方へ付勢する。カバー保持バネ７３０を一例とする第１の付勢手段としては、カバー部７２０をベース部７１０から外方向へ付勢するものであれば、カバー保持バネ７３０以外のものを用いてもよい。
【０１０６】
２つのロック部７４０のそれぞれは、金属片７４１と、係止部の一例であるロック爪７４２と、を含む。ロック部７４０の形状および動作は、第１実施形態のロック部１４０の形状および動作と同様であるが、本実施形態のロック部７４０は、カバー部７２０の下方（外方向とは反対側）ではなくカバー部７２０の側方に配置されている。ロック部係止用ねじりバネ７５０も、カバー部７２０の下方（外方向とは反対側）ではなくカバー部７２０の側方に配置されている。
【０１０７】
２つの押さえ部７６０は、爪部７６１と、バネ７６２と、を含む。２つの押さえ部７６０は、爪部７６１によって、カバー部７２０の小径部７２０ｂにおいて、ベース部７２０の外方向への移動を阻止する。バネ７６２は、爪部７６１を、上記のカバー部７２０の外方向への移動を阻止する位置に向けて付勢する。
押さえ部７６０は、雌側連結装置７００と雄側連結装置８００とを嵌合させる際には、爪部７６１によって、雄側連結装置２００の凸部２１０と係合する。
【０１０８】
図２５に示すように、雄側連結装置８００の凸部８１０は、円柱形状を呈する。この凸部８１０は、雌側連結装置７００のカバー部７２０に当接する当接面８１０ｂ側の一部が当接面８１０ｂにいくほど縮径するテーパ状になっている。凸部８１０の外周面には、押さえ部７６０の爪部７６１が挿入される押さえ部用凹部８１０ａが形成されている。
【０１０９】
凸部８１０は、図１３および図１４に示す第２の筐体２０のリアケース２５の補強板２５ａ−３に固定されている。この補強板２５ａ−３には、２つの磁石８２０が固定されている。補強板２５ａ−３は、ネジ孔２５ａにおいて第２の筐体２０（リアケース２５）に固定されている。
【０１１０】
以下、雌側連結装置７００と雄側連結装置８００とが嵌合する際の動作について簡単に説明する。
図２６は、嵌合した状態の雌側連結装置７００および雄側連結装置８００の概略構成を示す断面図である。
【０１１１】
雌側連結装置７００と雄側連結装置８００とが接近あるいは接触すると、雄側連結装置８００の磁石８２０によって、金属片７４１が吸引され、ロック部７４０は、カバー部７２０が下方に移動する（沈み込む）のを阻止する図２４に示す係止位置から退避する。
【０１１２】
具体的には、金属片７４１がロック部係止用ねじりバネ７５０（第１実施形態のロック部係止用ねじりバネ１５０と同様）の付勢力を上回る力で吸引されると、ロック爪７４２が、カバー部７２０の移動を阻止する、カバー部７２０の下方の係止位置から退避する。
【０１１３】
これにより、カバー部７２０が下方に移動することが可能となり、雌側連結装置７００が雄側連結装置８００により押圧されることで、カバー部７２０が下方に移動する。このカバー部７２０の移動に伴い、ベース部７１０の凹部７１０ａが開放していく。
【０１１４】
カバー部７２０が上述のように下方へ移動して下端側の一部が挿入凹部７１０ｂに挿入されたとき、押さえ部７６０の爪部７６１は、雄側連結装置８００の凸部８１０の押さえ部用凹部８１０ａにおいて凸部８１０を押さえる。これにより、雄側連結装置８００の上方移動、即ち外方向への抜け落ちが防止される。
【０１１５】
以上説明した第実施形態においても、上述の第１実施形態と同様の点については同様の効果、即ち、雌側連結装置７００（ベース部７１０）の凹部７１０ａを簡単な構成で開閉させることができるという効果などが得られる。
【０１１６】
図２７は、第３実施形態の変形例における雌側連結装置９００の概略構成を示す平面図、正面側断面図および右側面図である。
図２８は、雄側連結装置１０００の概略構成を示す平面図、正面図および右側面図である
図２９は、嵌合した状態の雌側連結装置９００および雄側連結装置１０００の概略構成を示す断面図である。
【０１１７】
本変形例においても、雌側連結装置９００および雄側連結装置１０００は、図２４〜図２６に示す雌側連結装置７００および雄側連結装置８００と同様に、正面視矩形状を呈する。
【０１１８】
一方、雌側連結装置９００のカバー部９２０および雄側連結装置１０００の凸部１０１０は、平面視円形状ではなく平面視矩形状を呈する。
以下、図２７に示す雌側連結装置９００および図２８に示す雄側連結装置１０００について、第１実施形態の雌側連結装置１００および雄側連結装置２００と相違する点について説明する。なお、図２７および図２９において、ロック部係止用ねじりバネ（１５０）の図示は省略している。
【０１１９】
雌側連結装置９００には、カバー保持バネ９３０が２つ配置されている。
ベース部９１０の凹部９１０ａには、２つのカバー保持バネ９１０ｂの下端が挿入されるピン９１０ｂが上方に突出するように設けられている。
【０１２０】
カバー部９２０の底面側には、２つのカバー保持バネ９３０が収容される２つの筒部９１０ｂが下方に突出するように設けられている。
雌側連結装置９００は、ベース部９１０の水平方向に延びるネジ孔９１０ｃにおいて第１の筐体３０に固定されている。
【０１２１】
図２８に示すように、雄側連結装置１０００の凸部１０１０は、四角柱形状を呈する。この凸部１０１０は、雌側連結装置９００のカバー部９２０に当接する当接面１０１０ｂ側の一部が当接面１０１０ｂにいくほど縮径するテーパ状になっている。凸部１０１０の外周面には、押さえ部９６０の爪部が挿入される押さえ部用凹部１０１０ａが形成されている。凸部１０１０の内部には、２つの磁石１０２０が固定されている。
【０１２２】
凸部１０１０は、図１３および図１４に示す第２の筐体２０のリアケース２５の補強板２５ａ−４に固定されている。この補強板２５ａ−４は、ネジ孔２５ａにおいて第２の筐体２０（リアケース２５）に固定されている。
【０１２３】
図２９に示すように嵌合する過程の雌側連結装置９００および雄側連結装置１０００の動作は、第１実施形態の雌側連結装置１００および雄側連結装置２００の動作と同様であるため説明を省略する。
【０１２４】
＜第４実施形態＞
図３０は、第１の筐体１０と第２の筐体２０とが分離した状態の雌側連結装置１１００を示す要部断面図である。
【０１２５】
図３１は、図３０のＥ−Ｅ断面図である。
図３０および図３１に示す雌側連結装置１１００は、ロック部１１４０およびこれに関連する構成において、第１実施形態の雌側連結装置１００と主に相違し、その他の点は同様である。そのため、同様の構成については説明を適宜省略する。
【０１２６】
図３５および図３６に示すように、４つのロック部１１４０のそれぞれは、磁石固定片１１４１と、係止部（スライダ）の一例であるロック用スライダ１１４２と、２つのスライダ用ガイド部１１４３と、を含む。４つのロック部１１４０は、カバー部１１２０の４つの突起１１２０ａのそれぞれの内側に１つずつ配置されている。
【０１２７】
なお、本実施形態のカバー部１１２０には、図５および図６に示す内側凸部１２０ｃが形成されていない。カバー部１１２０には、ロック部１１４０よりもカバー部１１２０の径方向内側に、ロック部支持軸１１２０ｅを軸支する左右一対の張出部１１２０ｄ，１１２０ｄが張り出している。これらの点を除いて、カバー部１１２０は、第１実施形態のカバー部１２０と同様である。
【０１２８】
本実施形態のカバー部１１２０は、突起１１２０ａと、カバー保持爪１１２０ｂと、張出部１１２０ｄと、ロック部支持軸１１２０ｅと、押さえ部用凹部１１２０ｆと、を有する。
【０１２９】
ロック部１１４０の磁石固定片１１４１は、雄側連結装置の磁石１２２０により反発移動する雌側磁石１１４４が固定された磁石固定部１１４１−１と、この磁石固定部１１４１−１のうちカバー部１１２０の径方向内側の端部から下方へ直角に屈曲した屈曲部１１４１−２と、を含み、Ｌ字板状を呈する。
【０１３０】
磁石固定片１１４１の屈曲部１１４１−２には、厚み方向に貫通する貫通孔１１４１ａと、被吸引部１１４１−１とは反対側の端部において幅方向に突出する左右一対の凸部１１４１ｃ，１１４１ｃと、が形成されている。
【０１３１】
磁石固定片１１４１の屈曲部１１４１−２には、磁石固定部１１４１−１側の端部の外側の面に、左右一対のカバー側張出部１１４１ｂ，１１４１ｂが設けられている。
なお、カバー部１１２０や磁石固定片１１４１を非金属材料で形成したり、或いは、雌側磁石１１４４を磁石固定片１１４１から雄側連結装置１２００側に露出させたりすることで、磁力不足がロック部１１４０の動きに影響を与えるのを抑えることができる。
【０１３２】
カバー部１１２０は、ロック部支持軸１１２０ｅを軸支する左右一対の張出部１１２０ｄ，１１２０ｄを含む。ロック部支持軸１１２０ｅは、カバー側張出部１１４１ｂ，１１４１ｂにおいて、ロック部１１４０を支持する。ロック部支持軸１１２０ｅには、ロック部係止用ねじりバネ１１５０が巻き付けられている。
【０１３３】
屈曲部１１４１−２の貫通孔１１４１ａには、ロック部係止用ねじりバネ１１５０の一端側が挿入されている。
ロック部係止用ねじりバネ１１５０の他端は、カバー部１１２０の内側上面に接している。ロック部係止用ねじりバネ１１５０は、ロック部１１４０を係止位置へ向かう係止方向へ付勢する。ここで、係止位置は、ロック部１１４０のロック用スライダ１１４２がカバー部１１２０とベース部１１１０との間に挿入される位置である。
【０１３４】
磁石固定片１１４１の屈曲部１１４１−２およびスライダ用ガイド部１１４３は、ロック用スライダ１１４２を、雌側磁石１１４４の反発移動によって、カバー部１１２０の下方の位置である係止位置から退避する解除方向へ移動させる反発解除手段の一部として機能する。
【０１３５】
図３１に示すように、ロック用スライダ１１４２は、平面視矩形の貫通孔１１４２ａが中央に形成された平板状を呈する。貫通孔１１４２ａの互いに対向する２辺には、屈曲部１１４１−２の凸部１１４１ｃ，１１４１ｃと係合する凹部１１４２ｂ，１１４２ｂが形成されている。
【０１３６】
ロック用スライダ１１４２は、ベース部１１１０に形成された矩形の挿入孔部１１１０ｂよりも幅が広い。
そのため、ロック用スライダ１１４２は、カバー部１１２０の突起１１２０ａの下方では、カバー部１１２０が挿入孔部１１１０ｂに挿入されるのを妨げる。一方、ロック用スライダ１１４２は、突起１１２０ａの下方から抜け出すと、カバー部１１２０が挿入孔部１１１０ｂに挿入されるのを許容する。
【０１３７】
ロック用スライダ１１４２は、カバー部１１２０の突起１１２０ａとは反対側の端部から下方に延びるバネ受け部１１４２ｃにおいて、ベース部１１１０のバネ受け部１１１０に配置されたスライダ用バネ１１４５により係止方向に付勢されている。
【０１３８】
２つのスライダ用ガイド部１１４３は、ベース部１１１０の凹部１１１０ａの上面に左右一対で設けられている。これら左右一対のスライダ用ガイド部１１４３は、ロック用スライダ１１４２をガイドすることでロック用スライダ１１４２の浮き上がりを防止する。
【０１３９】
以下、雌側連結装置１１００と雄側連結装置１２００とが嵌合する際の動作について説明する。
図３２は、第１の筐体３０と第２の筐体とが連結される過程の雌側連結装置１１００を示す要部断面図である。
【０１４０】
図３３は、図３２のＦ−Ｆ断面図である。
雌側連結装置１１００と雄側連結装置１２００とが接近あるいは接触すると、図３２に示すように、雄側連結装置１２００の磁石１２２０によって、磁石固定片１１４１に固定された雌側磁石１１４４が反発移動する。これにより、磁石固定片１１４１がロック部支持軸１１２０ｅを中心に回転し、ロック部１１４０は、カバー部１１２０が下方に移動する（沈み込む）のを阻止する係止位置から退避する。
【０１４１】
具体的には、ロック部１１４０の雌側磁石１１４４がロック部係止用ねじりバネ１１５０の付勢力を上回る力で反発移動すると、ロック用スライダ１１４２は、凹部１１４２ｂ，１１４２ｂにおいて磁石固定片１１４１の凸部１１４１ｃ，１１４１ｃにより押圧される。これにより、ロック用スライダ１１４２は、カバー部１１２０をベース部１１１０に対して係止する係止位置である突起１１２０ａの下方の位置から退避する。
【０１４２】
これにより、カバー部１１２０が下方に移動することが可能となり、雌側連結装置１１００が雄側連結装置１２００により押圧されることで、カバー部１１２０が下方に移動する。このカバー部１１２０の移動に伴い、ベース部１１１０の凹部１１１０ａが開放していく。
【０１４３】
この後、図３４に示すように、カバー部１１２０が下方へ移動して最下端の位置にあるとき、押さえ部１１６０の爪部１１６１は、雄側連結装置１２００の例えば大径部１２１０−１を押さえることで、凸部１２１０ひいては雄側連結装置１２００の上方移動、即ち抜け落ちを防止する。
【０１４４】
以上説明した第４実施形態においても、上述の第１実施形態と同様の点については同様の効果、即ち、雌側連結装置１１００（ベース部１１１０）の凹部１１１０ａを簡単な構成で開閉させることができるという効果などが得られる。
【０１４５】
また、本実施形態では、ロック部１１４０は、雄側連結装置１２００の磁石１２２０により反発移動する雌側磁石１１４４と、この雌側磁石１１４４が反発移動することで、カバー部１１２０をベース部１１１０に対して係止する係止位置から退避する係止部とを含む。更には、本実施形態では、上記の係止部は、雌側磁石１１４４が反発移動することでスライドするロック用スライダ（スライダ）１１４２である。そのため、ロック用スライダ１１４２の係止位置における挿抜が容易になり、凹部１１１０ａの開閉を円滑に行うことができる。また、雌側連結装置１００を簡単な構成にすることができる。
【０１４６】
以上説明した実施形態に関し、更に以下の付記を開示する。
（付記１）
雄型形状を有する雄側連結装置と嵌合可能な雌型形状を有する雌側連結装置であって、
前記雄側連結装置と嵌合可能な空間を有するベース部と、
前記ベース部における前記空間に収容されるカバー部と、
前記カバー部を前記ベース部から外方向へ付勢する第１の付勢手段と、
前記カバー部を前記ベース部に対して係止する係止位置にあることにより、前記外方向とは反対の方向への前記カバー部の移動を阻止するロック部と、
前記ロック部を、前記係止位置へ向かう係止方向へ付勢する第２の付勢手段と、
を備え、
前記ロック部は、前記雄側連結装置に設置された磁石による吸引移動または反発移動によって前記係止位置から退避する、雌側連結装置。
（付記２）
付記１記載の雌側連結装置において、
前記ロック部は、前記磁石により吸引移動する金属片と、該金属片が吸引移動することで、前記カバー部を前記ベース部に対して係止する前記係止位置から退避する係止部と、を含む、雌側連結装置。
（付記３）
付記２記載の雌側連結装置において、
前記係止部は、前記金属片に対して揺動自在に軸支されている、雌側連結装置。
（付記４）
付記２記載の雌側連結装置において、
前記係止部は、前記金属片に係合し該金属片が吸引移動することでスライドするスライダである、雌側連結装置。
（付記５）
付記１記載の雌側連結装置において、
前記ロック部は、前記磁石により反発移動する雌側磁石と、該雌側磁石が反発移動することで、前記カバー部を前記ベース部に対して係止する前記係止位置から退避する係止部と、を含む、雌側連結装置。
（付記６）
付記５記載の雌側連結装置において、
前記係止部は、前記雌側磁石が反発移動することでスライドするスライダである、雌側連結装置。
（付記７）
付記１記載の雌側連結装置において、
前記ベース部には、前記カバー部が前記外方向とは反対の方向へ移動した際に前記カバー部の少なくとも一部が挿入される挿入孔部が形成されている、雌側連結装置。
（付記８）
付記７記載の雌側連結装置において、
前記ベース部の前記挿入孔部には、前記カバー部が前記外方向とは反対の方向へ移動した際に前記カバー部の少なくとも一部および前記ロック部の少なくとも一部が挿入される、雌側連結装置。
（付記９）
付記１記載の雌側連結装置において、
前記ベース部には、前記カバー部が前記外方向とは反対の方向へ移動した際に前記カバー部の少なくとも一部が挿入される挿入凹部が形成されている、雌側連結装置。
（付記１０）
付記１記載の雌側連結装置において、
前記ロック部は、前記カバー部の前記外方向とは反対側に配置されている、雌側連結装置。
（付記１１）
付記１記載の雌側連結装置において、
前記第１の付勢手段は、前記カバー部の前記外方向とは反対側に配置されている、雌側連結装置。
（付記１２）
付記１記載の雌側連結装置において、
前記第２の付勢手段は、前記カバー部の前記外方向とは反対側に配置されている、雌側連結装置。
（付記１３）
付記１記載の雌側連結装置において、
前記雌側連結装置と前記雄側連結装置とが分離した状態で前記外方向への前記カバー部の移動を阻止し、前記雌側連結装置と前記雄側連結装置とが嵌合した状態で前記雄側連結装置に係合する押さえ部を更に備える、雌側連結装置。
（付記１４）
付記１から付記１３のいずれか１項記載の雌側連結装置を備える第１の筐体と、
前記雌側連結装置の前記雌型形状と嵌合可能な前記雄型形状を有し前記磁石が設置された前記雄側連結装置を備える第２の筐体と、
を備える電子機器。
（付記１５）
付記１４記載の電子機器において、
前記雄側連結装置の内部には、撮像装置が配置されている、電子機器。
【符号の説明】
【０１４７】
１      携帯電話機
１０      第１の筐体
１１      操作部
１２      操作部
１３      マイク部
１４      フロントケース
１４ａ      ネジ孔
１５      リアケース
１６      ネジ
２０      第２の筐体
２１      表示部
２２      スピーカ部
２３      マイク部
２４      フロントケース
２５      リアケース
２５−１，２５−２      補強板
２５ａ      雄側連結装置側ネジ孔
２５ｂ      ケース側ネジ孔
２５ｃ      カメラ用孔
２６      基板
２７      表示部用パネル
２８      ネジ
１００      雌側連結装置
１１０      ベース部
１１０ａ      凹部
１１０ｂ      挿入孔部
１１０ｃ      押さえ部用凹部
１１０ｄ      ネジ孔
１２０      カバー部
１２０ａ      突起
１２０ｂ      カバー保持爪
１２０ｃ      内側凸部
１２０ｄ      張出部
１２０ｅ      ロック部支持軸
１２０ｆ      押さえ部用凹部
１３０      カバー保持バネ
１４０      ロック部
１４１      金属片
１４１−１      被吸引部
１４１−２      屈曲部
１４１ａ      貫通孔
１４１ｂ      切り欠き部
１４１ｃ      ロック爪側張出部
１４１ｄ      カバー側張出部
１４１ｅ      ロック爪支持軸
１４２      ロック爪
１４２ａ      貫通孔
１４２ｂ      張出部
１４３      ロック爪用ねじりバネ
１５０      ロック部係止用ねじりバネ
１６０      押さえ部
１６１      爪部
１６１ａ      クリック用突起
１６１ｂ      バネ用軸
１６２      圧縮バネ
２００      雄側連結装置
２１０      凸部
２１０−１      大径部
２１０−２      小径部
２１０ａ      押さえ部用凹部
２１０ｂ      押さえ部用凸部
２１０ｃ      カメラ用凹部
２１０ｄ      ネジ孔
２２０      磁石
２３０      カメラ
２４０      カメラ用パネル
【図１Ａ】
0005488332.tif 000002
【図１Ｂ】
0005488332.tif 000003
【図１Ｃ】
0005488332.tif 000004
【図２】
0005488332.tif 000005
【図３】
0005488332.tif 000006
【図６】
0005488332.tif 000007
【図１１】
0005488332.tif 000008
【図４】
0005488332.tif 000009
【図５】
0005488332.tif 000010
【図７】
0005488332.tif 000011
【図８】
0005488332.tif 000012
【図９】
0005488332.tif 000013
【図１０】
0005488332.tif 000014
【図１２】
0005488332.tif 000015
【図１３】
0005488332.tif 000016
【図１４】
0005488332.tif 000017
【図１５】
0005488332.tif 000018
【図１６】
0005488332.tif 000019
【図１７】
0005488332.tif 000020
【図１８Ａ】
0005488332.tif 000021
【図１８Ｂ】
0005488332.tif 000022
【図１８Ｃ】
0005488332.tif 000023
【図１９】
0005488332.tif 000024
【図２０】
0005488332.tif 000025
【図２１】
0005488332.tif 000026
【図２２】
0005488332.tif 000027
【図２３Ａ】
0005488332.tif 000028
【図２３Ｂ】
0005488332.tif 000029
【図２４】
0005488332.tif 000030
【図２５】
0005488332.tif 000031
【図２６】
0005488332.tif 000032
【図２７】
0005488332.tif 000033
【図２８】
0005488332.tif 000034
【図２９】
0005488332.tif 000035
【図３０】
0005488332.tif 000036
【図３１】
0005488332.tif 000037
【図３２】
0005488332.tif 000038
【図３３】
0005488332.tif 000039
【図３４】
0005488332.tif 000040
【図３５】
0005488332.tif 000041
【図３６】
0005488332.tif 000042